(57)【要約】【課題】携帯端末を無接点充電でき，かつ，無接点充電に係る代金を電子決済により決済できるセルフ式充電装置を提供する。【解決手段】セルフ式充電装置１は，携帯端末２を無接点充電する操作がなされると，非接触通信コントローラ１１を利用して携帯端末２との近接型非接触通信を試み，携帯端末２と近接型非接触通信できない場合は，送電コントローラ１３を作動させて，電子決済を行えるだけの微量の電力を携帯端末２に無接点充電するバッテリー残量確認処理と，非接触通信コントローラ１１を用いて携帯端末２と近接型非接触通信を行い，携帯端末２が対応している電子決済によって無接点充電に係る金額を決済できるか確認してから，携帯端末２が対応している電子決済によって無接点充電に係る金額を決済する電子決済処理と，送電コントローラ１３を作動させて携帯端末２を無接点充電する無接点充電処理を実行する。【選択図】図３
2016019295.tif 000002
【特許請求の範囲】
【請求項１】
受電コイルから得られた電力をバッテリーに充電する無接点充電を行う手段と，バッテリーに蓄えられた電力によって動作し，近接型非接触通信を利用して電子決済を行う手段を備えた携帯端末に対して無接点充電を行う装置であって，
電力の送電に用いる送電コイルと，前記送電コイルによる電力の送電を制御する送電コントローラと，近接型非接触通信に用いる通信アンテナと，前記通信アンテナを用いた近接非接触通信を制御する非接触通信コントローラと，無接点充電と電子決済に係る処理を実行する中央制御手段を備え，
前記中央制御手段は，前記携帯端末を無接点充電する操作がなされると，前記非接触通信コントローラを利用して前記携帯端末との近接型非接触通信を試み，前記携帯端末と近接型非接触通信できない場合は，前記送電コントローラを作動させて，近接型非接触通信を利用した電子決済を行えるだけの微量の電力を前記携帯端末に無接点充電するバッテリー残量確認処理と，前記バッテリー残量確認処理を実行した後，前記非接触通信コントローラを用いて前記携帯端末と近接型非接触通信を行い，前記携帯端末が対応している電子決済によって無接点充電に係る金額を決済できるか確認してから，前記携帯端末が対応している電子決済によって無接点充電に係る金額を決済する電子決済処理と，前記電子決済処理を実行した後，前記送電コントローラを作動させて前記携帯端末を無接点充電する無接点充電処理を実行する，
ことを特徴とするセルフ式充電装置。
【請求項２】
前記中央制御手段は，前記電子決済処理において，前記非接触通信コントローラを用いて，前記携帯端末が対応している電子決済を示す情報を前記携帯端末から読み取り，無接点充電に係る金額の決済に用いる電子決済をユーザに選択させ，ユーザが選択した電子決済によって無接点充電に係る金額を決済することを特徴とする，請求項１に記載したセルフ式充電装置。
【請求項３】
前記中央制御手段は，前記無接点充電処理において，電子決済で決済した金額に対応する時間だけ，前記送電コントローラを作動させて前記携帯端末を無接点充電することを特徴とする，請求項１または２に記載したセルフ式充電装置。
【発明の詳細な説明】
【技術分野】
【０００１】
本発明は，携帯電話やスマートフォンなどの携帯端末の充電を有料で行うセルフ式充電装置に関する。
【背景技術】
【０００２】
携帯電話やスマートフォンなどの携帯端末に実装するＣＰＵ（Central Processing Unit）の高速化に伴い，携帯端末に実装されたバッテリーの電力が枯渇するバッテリー切れが問題になっている。
【０００３】
外出先での携帯端末の使用頻度が増し，携帯端末のバッテリー残量が外出先で少なくなったときに，外出先で携帯端末のバッテリーを充電できる装置として，電池によって携帯端末のバッテリーを充電するポータブルタイプの充電器がコンビニエンスストア等で販売されているが，１回当たりの充電コストがかさむため，スーパー，電気量販店や飲食店など，ユーザの滞在時間が比較的長い店舗には，安価で携帯端末のバッテリーを充電できるセルフ式充電装置が設置されるようになった。
【０００４】
従来，携帯端末の充電は接点充電が主流であったため，ユーザがセルフ式充電装置を利用するとき，ユーザは，セルフ式充電装置に付随の複数の充電ケーブルの中から、充電する携帯端末の接点コネクタと合致する充電ケーブルを選択し、携帯端末の接点コネクタに充電ケーブルを差し込むという手間がかかっていた。
【０００５】
現在普及が進められている無接点充電（非接触充電，ワイヤレス給電とも称される）に対応した携帯端末ならば，店舗に設置するセルフ式充電装置の構造を無接点充電に対応させた構造にし，無接点充電で携帯端末を充電できるようにすることで，上述の手間を省くことができる。
【０００６】
しかし，店舗に設置するセルフ式充電装置の場合，店舗に設置するセルフ式充電装置の構造を無接点充電に対応させても，小銭を財布等から取り出した後、充電装置の小銭投入口に入れるという操作など，携帯端末の充電に対する課金に係る操作が必要になる。
【０００７】
携帯端末を無接点充電でき，かつ，携帯端末で電子決済することができる発明は特許文献１ですでに開示され，特許文献１で開示されている充電装置は，携帯端末に電力供給する電力供給アンテナコイルと、電力供給アンテナコイルを介して携帯端末と通信する通信手段と、通信手段により携帯端末と通信して電子決済処理を行う決済処理手段を備えている。しかしながら，特許文献１で開示されている発明は，無接点充電してから飲食代金などを電子決済により決済するため，有料で携帯端末を充電するセルフ式充電装置に適用できない。
【先行技術文献】
【特許文献】
【０００８】
【特許文献１】特開２００８―２３６８８８号公報
【発明の概要】
【発明が解決しようとする課題】
【０００９】
そこで，本発明は，携帯端末を無接点充電でき，かつ，無接点充電に係る代金を電子決済により決済できるセルフ式充電装置を提供することを目的とする。
【課題を解決するための手段】
【００１０】
上述した課題を解決する第１の発明は，受電コイルから得られた電力をバッテリーに充電する無接点充電を行う手段と，バッテリーに蓄えられた電力によって動作し，近接型非接触通信を利用して電子決済を行う手段を備えた携帯端末に対して無接点充電を行うセルフ式充電装置である。この前記セルフ式充電装置は，前記携帯端末を無接点充電でき，かつ，前記携帯端末を無接点充電する前に，無接点充電に係る代金を電子決済により決済できるように，電力の送電に用いる送電コイルと，前記送電コイルによる電力の送電を制御する送電コントローラと，近接型非接触通信に用いる通信アンテナと，前記通信アンテナを用いた近接非接触通信を制御する非接触通信コントローラと，無接点充電と電子決済に係る処理を実行する中央制御手段を備え，前記中央制御手段は，前記携帯端末を無接点充電する操作がなされると，前記非接触通信コントローラを利用して前記携帯端末との近接型非接触通信を試み，前記携帯端末と近接型非接触通信できない場合は，前記送電コントローラを作動させて，近接型非接触通信を利用した電子決済を行えるだけの微量の電力を前記携帯端末に無接点充電するバッテリー残量確認処理と，前記バッテリー残量確認処理を実行した後，前記非接触通信コントローラを用いて前記携帯端末と近接型非接触通信を行い，前記携帯端末が対応している電子決済によって無接点充電に係る金額を決済できるか確認してから，前記携帯端末が対応している電子決済によって無接点充電に係る金額を決済する電子決済処理と，前記電子決済処理を実行した後，前記送電コントローラを作動させて前記携帯端末を無接点充電する無接点充電処理を実行する。
【００１１】
更に，第２の発明は，第１の発明に記載したセルフ式充電装置において，ユーザが無接点充電に係る金額の決済に用いる電子決済を選択できるようにした発明で，前記中央制御手段は，前記電子決済処理において，前記非接触通信コントローラを用いて，前記携帯端末が対応している電子決済を示す情報を前記携帯端末から読み取り，無接点充電に係る金額の決済に用いる電子決済をユーザに選択させ，ユーザが選択した電子決済によって無接点充電に係る金額を決済することを特徴とする。
【００１２】
更に，第３の発明は，第１の発明または第２の発明に記載したセルフ式充電装置において，電子決済で決済した金額に対応する時間だけ前記携帯端末を無接点充電できるように，前記中央制御手段は，前記無接点充電処理において，電子決済で決済した金額に対応する時間だけ，前記送電コントローラを作動させて前記携帯端末を無接点充電することを特徴とする。
【発明の効果】
【００１３】
本発明に係るセルフ式充電装置は，無接点充電に係る代金を電子決済により決済する前に，無接点充電の対象となる携帯端末のバッテリー残量を確認し，近接型非接触通信できない程度に携帯端末のバッテリー残量が枯渇している場合は，電子決済を行えるだけの微量の電力を携帯端末に無接点充電するため，無接点充電の対象となる携帯端末のバッテリーが枯渇している場合であっても，携帯端末の無接点充電と無接点充電に係る代金の電子決済を実行できる。また，携帯端末を無接点充電した後に電子決済を行うと，電子決済に対応していない携帯端末を無接点充電した場合，電子決済によって無接点充電に係る金額を決済できないが，本発明に係るセルフ式充電装置は，携帯端末が対応している電子決済によって無接点充電に係る金額を決済できるか確認してから，携帯端末を無接点充電するため，携帯端末の無接点充電と無接点充電に係る代金の電子決済を確実に実行できる。
【図面の簡単な説明】
【００１４】
【図１】本実施形態に係るセルフ式充電装置の構造を説明する第１図。
【図２】本実施形態に係るセルフ式充電装置の構造を説明する第２図。
【図３】本実施形態に係るセルフ式充電装置の構造を説明する第３図。
【図４】携帯端末のブロック図。
【図５】セルフ式充電装置のブロック図。
【図６】セルフ式充電装置の動作を説明する図。
【発明を実施するための形態】
【００１５】
ここから，本発明の好適な実施形態を記載する。なお，以下の記載は本発明の範囲を束縛するものでなく，理解を助けるために記述するものである。
【００１６】
図１は本実施形態に係るセルフ式充電装置１の構造を説明する第１図，図２は本実施形態に係るセルフ式充電装置１の構造を説明する第２図，図３は本実施形態に係るセルフ式充電装置１の構造を説明する第３図，図４は携帯端末２のブロック図，図５はセルフ式充電装置１のブロック図，そして，図６はセルフ式充電装置１の動作を説明する図である。
【００１７】
図１，２，３を参照しながら，本実施形態に係るセルフ式充電装置１の構造を説明する。図１で図示したように，セルフ式充電装置１の左側には、無接点充電に対応した携帯端末２を収納する充電ボックス１５が複数設けられ，充電ボックス１５には自動で開くカバー１５ａを有している。また，セルフ式充電装置１の右側には、様々な情報を表示するディスプレイ１７と，様々なボタンを配置した操作パネル１６に加え，本発明とは直接的に係わりないが，現金による決済を行うときに利用する紙幣投入口１８ｄ、硬貨投入口１８ｂおよび釣返却口１８ｆを備えている。
【００１８】
図２は，一番左側のカバー１５ａを開いた状態のセルフ式充電装置１を説明する図で，ユーザが操作パネル１６を操作して，一番左側のカバー１５ａを開くと，携帯端末２を収めることのできる収納ケース１５ｄが現れ，収納ケース１５ｄの奥面には，電子決済時に利用する装置側通信アンテナ１２と無接点充電時に利用する送電コイル１４を配置してある。
【００１９】
図３は、充電ボックス１５の収納ケース１５ｄに携帯端末２を納めた状態を示した図で、充電ボックス１５の収納ケース１５ｄ内に携帯端末２を納めた状態では，携帯端末２の背面は装置側通信アンテナ１２および送電コイル１４と近接するため、セルフ式充電装置１は，送電コイル１４を利用した無接点充電と、装置側通信アンテナ１２を利用した電子決済が可能な状態となる。
【００２０】
まず，図４を参照しながら，携帯端末２について説明する。本実施形態に係る携帯端末２は，無接点充電に対応をとる手段として，無接点充電用の受電コイル２４と，受電コイル２４と接続し，受電コイル２４から得られる電力をバッテリー２５に充電する充電コントローラ２３を備える。受電コイル２４は，セルフ式充電装置１が発生させた交流磁場に基づく交流電圧を誘起させるためのコイルで，充電コントローラ２３は，受電コイル２４が誘起させた交流電圧を電流に変換してバッテリー２５に充電する。
【００２１】
また，本実施形態に係る携帯端末２は，近接型非接触通信に係る手段として，セルフ式端末装置１の装置側通信アンテナ１２が発信する搬送波を受信する近接型非接触通信用の端末側通信アンテナ２２と，端末側通信アンテナ２２と接続している非接触ＩＣモジュール２１を備える。非接触ＩＣモジュール２１は，端末側通信アンテナ２２を利用して近接型非接触通信するための回路，マイクロプロセッサおよびメモリ等を備えたＩＣチップで，このようなＩＣチップとしては，ＮＦＣ（Near Field Communication）に準じたものが有名である。なお，本実施形態に係る非接触ＩＣモジュール２１には，電子決済に係るアプリケーションとして、電子マネー会社のアプリケーションとクレジット会社のアプリケーションが実装されている。
【００２２】
また，本実施形態に係る携帯端末２は，携帯端末２を制御するＣＰＵ２０（Central Processing Unit）を備え，このＣＰＵ２０には，内部メモリ２６ａ，ＳＤカードなどのメモリカード２６ｂ，移動体通信に必要なアプリケーションが実装されたＵＩＣＣ(Universal Integrated Circuit Card)２６ｃ，携帯端末２をユーザが操作するためのタッチパネル２６ｄおよび液晶などのディスプレイ２６ｅが接続されている。
【００２３】
更に，本実施形態に係る携帯端末２は，携帯端末２に電力を供給するバッテリー２５を備える。カード媒体である非接触ＩＣカードは，リーダライタから送出される搬送波から得られる電力によって動作するが，携帯端末２が備える非接触ＩＣモジュール２１は，携帯端末２に内蔵されたバッテリー２５と接続し，バッテリー２５から供給される電力によって動作する。
【００２４】
図５を参照しながら，セルフ式充電装置１が有する機能について説明する。上述したように，セルフ式充電装置１は，カバー１５ａが付いた充電ボックス１５を備える。充電ボックス１５のカバー１５ａが閉じられているとき，カバー１５ａの爪１５ｂがセルフ式充電装置１に設けられたピン１５ｃと係合することでカバー１５ａはロックされており，ピン１５ｃが外れるとカバー１５ａが自動的に跳ね上がる構造になっている。
【００２５】
また，セルフ式充電装置１の充電ボックス１５内には，無接点充電する携帯端末２を載せる収納ケース１５ｄが設けられ，この収納ケース１５ｄの奥面には，電力の送電に用いる送電コイル１４と近接型非接触通信に用いる装置側通信アンテナ１２が複合した状態で設けられ，送電コイル１４は，送電コイル１４による電力の送電を制御する送電コントローラ１３と接続し，装置側通信アンテナ１２は，装置側通信アンテナ１２を用いた近接非接触通信を制御する非接触通信コントローラ１１と接続している。
【００２６】
セルフ式充電装置１の送電コントローラ１３と非接触通信コントローラ１１は中央制御手段１０と接続し，セルフ式充電装置１の中央制御手段１０は，ネットワークインターフェース１９，操作パネル１６，ディスプレイ１７，硬貨判別機１８ａ，紙幣判別機１８ｃおよび釣銭払い出し機１８ｅと接続している。
【００２７】
セルフ式充電装置１の中央制御手段１０は，プロセッサやメモリなどを有するＣＰＵボードで，中央制御手段１０には，セルフ式充電装置１の動作を制御するためのコンピュータプログラムが記憶されている。セルフ式充電装置１の中央制御手段１０は，携帯端末２を無接点充電する操作がなされると，非接触通信コントローラ１１を利用して携帯端末２との近接型非接触通信を試み，携帯端末２と近接型非接触通信できない場合は，送電コントローラ１３を作動させて，近接型非接触通信を利用した電子決済を行えるだけの微量の電力を携帯端末２に無接点充電するバッテリー残量確認処理と，バッテリー残量確認処理を実行した後，非接触通信コントローラ１１を用いて携帯端末２と近接型非接触通信を行い，携帯端末２が対応している電子決済によって無接点充電に係る金額を決済できるか確認してから，携帯端末２が対応している電子決済によって無接点充電に係る金額を決済する電子決済処理と，電子決済処理を実行した後，送電コントローラ１３を作動させて携帯端末２を無接点充電する無接点充電処理を実行する。
【００２８】
図６を参照しながら，セルフ式充電装置１の動作について説明する。携帯端末２を充電するユーザが，セルフ式充電装置１の操作パネル１６を操作して，携帯端末２を入れる充電ボックス１５を選択し，この充電ボックス１５のカバー１５ａを開ける操作を行うと，セルフ式充電装置１の中央制御手段１０は，ユーザが選択した充電ボックス１５のカバー１５ａを留めているピン１５ｃを外すことでカバー１５ａのロックを解錠し，ユーザが選択した充電ボックス１５のカバー１５ａを開く（Ｓ１）。
【００２９】
充電ボックス１５のカバー１５ａが開くと，ユーザは，カバー１５ａが開いた充電ボックス１５の収納ケース１５ｄの奥面と携帯端末２の背面が合うようにして，携帯端末２を収納ケース１５ｄに載せた後，携帯端末２を収納ケース１５ｄに載せた充電ボックス１５のカバー１５ａを手動で閉める（Ｓ２）。
【００３０】
ユーザが充電ボックス１５のカバー１５ａを閉め，携帯端末２の無接点充電を開始する操作を行うと，セルフ式充電装置１の中央制御手段１０は，このカバー１５ａに対応するピン１５ｃを作動させ，このカバー１５ａの爪１５ｂとピン１５ｃを係合させてカバー１５ａをロックした後，カバー１５ａを閉めた充電ボックス１５に対応する充電コントローラ２３に無接点充電の開始を指示し，カバー１５ａを閉めた充電ボックス１５に内にある携帯端末２が無接点充電に対応しているか確認する（Ｓ３）。充電コントローラ２３は，無接点充電の開始の指示を受けると，送電コイル１４に電圧を加えることで無接点充電を開始し，数秒の内に送電コイル１４に流れる電流が充電時の値にならなければ，無接点充電ができないことを中央制御装置に通知して，無接点充電を中止する。また，充電コントローラ２３は，数秒の内に送電コイル１４に流れる電流が充電時の値になれば，無接点充電中であることを中央制御装置に通知する。
【００３１】
セルフ式充電装置１の中央制御手段１０は，無接点充電の対応結果に応じて処理を分岐させる（Ｓ４）。セルフ式充電装置１の中央制御手段１０は，無接点充電ができないことが充電コントローラ２３から通知されると，カバー１５ａを閉めた充電ボックス１５内の携帯端末２が無接点充電に対応していないと判断し，無接点充電ができないことをユーザに通知するメッセージをディスプレイ１７に表示させた後，この充電ボックス１５のカバー１５ａを開いて，携帯端末２を取り出せるようにして，この手順を中止する。
【００３２】
セルフ式充電装置１の中央制御手段１０は，無接点充電中であることが充電コントローラ２３から通知されると，無接点充電の停止を充電コントローラ２３に指示した後，非接触通信コントローラ１１を作動させて，近接型非接触通信を行えるだけのバッテリー残量が，カバー１５ａを閉めた充電ボックス１５内にある携帯端末２に残っているか確認するバッテリー残量確認処理（Ｓ１０）を実行する。
【００３３】
バッテリー残量確認処理（Ｓ１０）において，セルフ式充電装置１の中央制御手段１０は，まず，非接触通信コントローラ１１を作動させて，カバー１５ａを閉めた充電ボックス１５内にある携帯端末２の近接型非接触通信を試みる（Ｓ１１）。携帯端末２との近接型非接触通信を試みるときのコマンドとしては，例えば，非接触ＩＣモジュール２１を検出するコマンドを利用することができる。
【００３４】
次に，セルフ式充電装置１の中央制御手段１０は，充電ボックス１５内にある携帯端末２との近接型非接触通信の結果に基づき処理を分岐させる（Ｓ１２）。充電ボックス１５内にある携帯端末２と近接型非接触通信できた場合，セルフ式充電装置１の中央制御手段１０は，無接点充電に係る金額を決済する電子決済処理（Ｓ２０）を実行する。また，充電ボックス１５内にある携帯端末２と近接型非接触通信できなかった場合，セルフ式充電装置１の中央制御手段１０は，携帯端末２の非接触ＩＣモジュール２１が動作するのに必要な電力すら携帯端末２のバッテリー２５に残っていないと判定し，セルフ式充電装置１の中央制御手段１０は，送電コントローラ１３を一定時間だけ作動させて，近接型非接触通信を利用した電子決済を行えるだけの微量の電力を携帯端末２に無接点充電した後（Ｓ１３），非接触通信コントローラ１１を作動させて，カバー１５ａを閉めた充電ボックス１５内にある携帯端末２との近接型非接触通信を再度試みる（Ｓ１４）。
【００３５】
セルフ式充電装置１の中央制御手段１０は，充電ボックス１５内にある携帯端末２との近接型非接触通信の結果に基づき処理を分岐させる（Ｓ１５）。カバー１５ａを閉めた充電ボックス１５内にある携帯端末２と近接型非接触通信できなかった場合，セルフ式充電装置１の中央制御手段１０は，近接型非接触通信が実行できない状態にあると判断して，Ｓ４０に進み，現金による決済を実行する。また，カバー１５ａを閉めた充電ボックス１５内にある携帯端末２と近接型非接触通信できた場合，セルフ式充電装置１の中央制御手段１０は電子決済処理（Ｓ２０）を実行する。
【００３６】
電子決済処理（Ｓ２０）において，セルフ式充電装置１の中央制御手段１０は，携帯端末２が対応している電子決済を示す情報を携帯端末２の非接触ＩＣモジュール２１から読み取り，無接点充電に係る金額の決済に用いる電子決済をユーザに選択させる（Ｓ２１）。携帯端末２が対応している電子決済を示す情報は，ファイル形式で携帯端末２の非接触ＩＣモジュール２１に記憶され，セルフ式充電装置１の中央制御手段１０は，携帯端末２が対応している電子決済の一覧をディスプレイ１７に表示し，操作パネル１６を利用して電子決済をユーザに選択させる。
【００３７】
次に，セルフ式充電装置１の中央制御手段１０は，ユーザが選択した電子決済によって無接点充電に係る金額を決済できるか確認する（Ｓ２２）。無接点充電に係る金額を決済できるか確認する内容は，ユーザが選択した電子決済に依存する。例えば，ユーザが選択した電子決済が電子マネーの場合，セルフ式充電装置１の中央制御手段１０は，非接触通信コントローラ１１を利用して，携帯端末２の非接触ＩＣモジュール２１から電子マネー残高を読み取り，無接点充電に係る金額を電子マネー残高から減算できるか確認する。また，ユーザが選択した電子決済がクレジットの場合，セルフ式充電装置１の中央制御手段１０は，非接触通信コントローラ１１を利用して，携帯端末２の非接触ＩＣモジュール２１からクレジットカード情報を読み取り，インターネット等を介してクレジット会社へクレジットカード情報を伝送することで，無接点充電に係る金額をクレジット決済できるか確認する。
【００３８】
セルフ式充電装置１の中央制御手段１０は，ユーザが選択した電子決済で無接点充電に係る金額を決済できるか確認した結果に基づき処理を分岐させる（Ｓ２３）。セルフ式充電装置１の中央制御手段１０は，ユーザが選択した電子決済で無接点充電に係る金額を決済できる場合，セルフ式充電装置１の中央制御手段１０は，ユーザが選択した電子決済によって無接点充電に係る金額を決済する（Ｓ２４）。例えば，ユーザが選択した電子決済が電子マネーの場合，セルフ式充電装置１の中央制御手段１０は，非接触通信コントローラ１１を利用して，携帯端末２の非接触ＩＣモジュール２１に記憶されている電子マネー残高から，無接点充電に係る金額に対応する値を減算することで，無接点充電に係る金額を電子マネー決済する。また，ユーザが選択した電子決済がクレジットの場合，セルフ式充電装置１の中央制御手段１０は，インターネット等を介して，無接点充電に係る金額とクレジットカード情報を伝送することで，無接点充電に係る金額をクレジット決済する。
【００３９】
セルフ式充電装置１の中央制御手段１０は，ユーザが選択した電子決済で無接点充電に係る金額を決済すると，携帯端末２を無接点充電する無接点充電処理（Ｓ３０）を実行する。この無接点充電処理（Ｓ３０）において，セルフ式充電装置１の中央制御手段１０は，ユーザが選択した電子決済で決済した金額に対応する時間だけ携帯端末２を無接点充電して（Ｓ３１），この手順を終了する。
【００４０】
なお，セルフ式充電装置１の中央制御手段１０は，Ｓ１５において，携帯端末２と近接型非接触通信できなかった場合，または，Ｓ２３において，ユーザが選択した電子決済によって無接点充電に係る金額を決済できなかった場合，無接点充電に係る金額を現金で決済する処理を実行する（Ｓ４０）。
【００４１】
無接点充電に係る金額を現金で決済する場合、セルフ式充電装置１の中央制御手段１０は，ユーザに対して投入すべき金額の投入を促すメッセージをディスプレイ１７に表示し，ユーザは，このメッセージに従い、ユーザは紙幣投入口１８ｄまたは硬貨投入口１８ｂから現金を投入する。硬貨判別機は硬貨投入口１８ｂから投入された硬貨を判別し、また，紙幣判別機は紙幣投入口１８ｄから投入された紙幣を判別し、セルフ式充電装置１の中央制御手段１０は，それぞれの判別結果を取得することで、ユーザが投入した金額を取得して，その金額をディスプレイ１７に表示する。そして，ユーザの投入金額が無接点充電に係る金額以上になると、セルフ式充電装置１の中央制御手段１０は，ユーザの投入金額から無接点充電に係る金額を差し引き、携帯端末２への無接点充電を開始する。また、セルフ式充電装置１の中央制御手段１０は，ユーザの投入金額から無接点充電に係る金額を差し引いたつり銭金額の払い出しを釣銭払い出し機１８ｅに指示し，釣銭払い出し機１８ｅはつり銭金額を釣返却口１８ｆより払い出す。
【００４２】
このように，セルフ式充電装置１によれば，無接点充電に係る代金を電子決済により決済する前に，無接点充電の対象となる携帯端末２のバッテリー残量を確認し，近接型非接触通信できない程度に携帯端末２のバッテリー残量が枯渇している場合は，電子決済を行えるだけの微量の電力を携帯端末２に無接点充電するため，無接点充電の対象となる携帯端末２のバッテリーが枯渇している場合であっても，携帯端末２の無接点充電と無接点充電に係る代金の電子決済を実行できる。また，携帯端末２を無接点充電した後に電子決済を行うと，電子決済に対応していない携帯端末を無接点充電した場合，電子決済によって無接点充電に係る金額を決済できないが，セルフ式充電装置１は，携帯端末２が対応している電子決済によって無接点充電に係る金額を決済できるか確認してから，携帯端末２を無接点充電するため，携帯端末２の無接点充電と無接点充電に係る代金の電子決済を確実に実行できる。
【符号の説明】
【００４３】
１    セルフ式充電装置
１０  中央制御手段
１１  非接触通信コントローラ
１２  装置側通信アンテナ
１３  送電コントローラ
１４  送電コイル
１５  充電ボックス
１５ａ  カバー
２    携帯端末
２１  非接触ＩＣチップ
２２  端末側通信アンテナ
２３  充電コントローラ
２４  受電コイル
【図１】
2016019295.tif 000003
【図２】
2016019295.tif 000004
【図３】
2016019295.tif 000005
【図４】
2016019295.tif 000006
【図５】
2016019295.tif 000007
【図６】
2016019295.tif 000008